(57)【特許請求の範囲】
【請求項１】
粉体が充填され、先端部に開口が形成され、かつ、後端部に粉体吐出口が形成された粉体容器と、この粉体容器が装着される噴霧器本体と、この噴霧器本体に接続されて、その内部に圧縮気体を供給する圧縮気体容器とからなり、前記噴霧器本体には、前記粉体容器がその先端部を下方にして嵌着される固定部と、前記粉体容器の後端部が嵌着される支持部が設けられているとともに、前記固定部には、前記圧縮気体容器から供給される圧縮気体を、前記粉体容器の開口へ向けて導く気体供給路と、この気体供給路の前記固定部に嵌着された前記粉体容器の先端部より上流側に設けられ、この気体供給路の開閉をなす開閉弁と、この開閉弁の開閉をなす操作レバーが設けられ、前記支持部には、前記粉体容器の粉体吐出口が連通させられる噴霧口が形成されていることを特徴とする粉体噴霧器。
【請求項２】
前記粉体容器の先端部が前記固定部に螺子によって固定されるようになされていることを特徴とする請求項１に記載の粉体噴霧器。
【請求項３】
前記粉体容器の先端部が前記固定部に、これらの一方に形成された突起と、他方に形成された凹部との嵌合によって固定されるようになされていることを特徴とする請求項１に記載の粉体噴霧器。
【請求項４】
前記粉体容器、前記固定部、および、前記支持部の断面形状が非真円形状となされていることを特徴とする請求項３に記載の粉体噴霧器。
【請求項５】
前記粉体容器の後端面に、前記粉体吐出口の位置を示す表示が付されていることを特徴とする請求項１ないし請求項４の何れかに記載の粉体噴霧器。
【発明の詳細な説明】
【技術分野】
【０００１】
本発明は、粉体噴霧器に係わり、特に、粉体状の化粧料の噴霧に好適に用いられる粉体噴霧器に関するものである。
【背景技術】
【０００２】
一般に、粉体を用いた化粧に際して、前記粉体状の化粧料をブラシやパフを用いて塗布することが行なわれているが、化粧料の塗布量を均一にすることが難しく、化粧の仕上がりにむらが生じることがある。
【０００３】
このような不具合に対処するために、例えば、特許文献１に示されるように、前記化粧料が供給される噴霧器本体に、コンプレッサーを用いて圧縮気体を送り込み、この圧縮気体によって前記噴霧器本体に供給される化粧料を霧状にして噴霧する技術が提案されており、前記噴霧器本体に設けられた調整レバーの操作により、化粧料の塗布量の微調整を可能にして、化粧の仕上げをより均一なものとするような技術が提案されている。
【先行技術文献】
【特許文献】
【０００４】
【特許文献１】特開２０１３−４２９３０号公報
【発明の概要】
【発明が解決しようとする課題】
【０００５】
ところで、前述した従来の技術では、化粧料の供給経路に霧化機構を配置し、この霧化機構に圧縮気体を供給するとともに、前記霧化機構に設けられたニードル弁等の流量調整弁によって前記化粧料の霧化および噴霧量を調整するとともに、噴霧の停止を行なうようにしている。
【０００６】
このような噴霧器は、化粧料を霧状にして噴霧するものであるが、この技術を、粉体状の化粧料に適用した場合、たとえば、前記流量調整弁を閉じて化粧料の塗布を減少ないしは停止した場合、前記流量調整弁の弁体と弁座との間に粉体が流れ込んで滞留し、さらには、滞留した粉体が、弁体によって弁座に押し付けられることにより、前記粉体が圧密されて固化し、これによって、流量調整弁を詰まらせてしまうことが想定されることから、粉体状の化粧料の塗布には適用しがたいといった不具合が残されている。
【０００７】
本発明は、このような従来の問題点に鑑みてなされたもので、粉体状の化粧料を塗布する際において、その詰まりを極力抑制することができる粉体噴霧器を提供することを解決課題とする。
【課題を解決するための手段】
【０００８】
本発明の粉体噴霧器は、前述した課題を解決するために、粉体が充填され、先端部に開口が形成され、かつ、後端部に粉体吐出口が形成された粉体容器と、この粉体容器が装着される噴霧器本体と、この噴霧器本体に接続されて、その内部に圧縮気体を供給する圧縮気体容器とからなり、前記噴霧器本体には、前記粉体容器の先端部が嵌着される固定部と、前記粉体容器の後端部が嵌着される支持部が設けられているとともに、前記固定部には、前記圧縮気体容器から供給される圧縮気体を、前記粉体容器の開口へ向けて導く気体供給路と、この気体供給路の途中に設けられ、この気体供給路の開閉をなす開閉弁と、この開閉弁の開閉をなす操作レバーが設けられ、前記支持部には、前記粉体容器の粉体吐出口が連通させられる噴霧口が形成されていることを特徴とする。
【０００９】
本発明の粉体噴霧器では、前記粉体容器を、その先端を下方にして前記噴霧器本体に装着する。
この状態において、この粉体容器の先端部の開口が下方へ向けられるとともに、前記開閉弁の下流側に対向させられ、前記粉体容器の後端の粉体吐出口が、上方において前記噴霧口に連通させられる。
【００１０】
ここで、前記粉体容器内の粉体は、この粉体容器の下部に沈降させられている。
【００１１】
この状態において、前記圧縮気体容器を前記気体供給路に接続し、前記操作レバーを操作して前記開閉弁を開放すると、前記圧縮気体容器の圧縮気体が、前記開閉弁から前記粉体容器の先端の開口を経て、この粉体容器内に供給され、前記粉体容器の下方に沈降している粉体を上方へ吹き上げ、その一部が、前記粉体容器の上方に位置させられている粉体吐出口から、前記噴霧器本体の噴霧口を経て噴霧される。
【００１２】
そして、前記粉体吐出口および前記噴霧口の開口面積が一定であることから、前述した噴霧量も一定に保持され、前述したように吹き上げられた粉体の余剰の粉体が下方へ向けて落下させられる。
【００１３】
このような粉体の噴霧操作に際して、前記開閉弁は、前記粉体容器内に供給される圧縮気体の供給およびその停止を行なうのみであり、かつ、前記開閉弁から吐出される圧縮気体は、前記粉体を、常時、前記開閉弁から離間する方向へと押し出す。
したがって、噴霧を停止する際に、前記粉体容器内の粉体が、前記開閉弁の下流側（すなわち、圧縮気体の吐出側）へ向かって移動するが、この粉体が、前記開閉弁の作動部に入り込むことが防止される。
仮に、前記開閉弁の作動部に前記粉体が入り込んだとしても、この粉体が、前述した圧縮気体の流れによって前記粉体容器へ向けて押し戻されて、前記開閉弁の作動部での滞留が防止される。
【００１４】
したがって、粉体の噴霧とその停止の繰り返し操作に際して、前記開閉弁の作動部に粉体が滞留させられて圧密されることによる、前記作動部の詰まりを防止することができ、この結果、粉体の噴霧を円滑に行なうことができる。
【００１５】
そして、前記粉体容器の先端部と前記固定部との固定は、前記粉体容器の先端部に設けた雄螺子を、前記固定部に設けた雌螺子に螺合させることによって行なうことができ、また、前記粉体容器の先端部と前記固定部の何れか一方に突起を形成するとともに、他方に凹部を形成しておき、これらの突起と凹部との嵌合によって行なうことができる。
【００１６】
本発明では、前記粉体容器を前記噴霧器本体に装着した状態において、前記粉体容器に設けられている粉体吐出口と前記噴霧器本体に設けられている噴霧口との位置合わせを行ない、これらを連通状態に保持する必要がある。
【００１７】
このような位置合わせを容易にするために、前記粉体容器、前記固定部、および、前記支持部の断面形状を非真円形状とすることができる。
これによって、前述した粉体容器と前記噴霧器本体との、前記粉体容器の軸線回りの位置関係を規制し、前記粉体吐出口と前記噴霧口との位置合わせを容易にすることができる。
【００１８】
また、前記粉体容器の後端面に、前記粉体吐出口の位置を示す表示を設けておき、この表示を前記噴霧口に合わせるようにして前記粉体容器を装着することにより、前述した粉体吐出口と前記噴霧口との位置合わせをさらに容易にすることができる。
【発明の効果】
【００１９】
このように、本発明の粉体噴霧器によれば、粉体の供給経路の目詰まりを抑制して安定した噴霧作用を確保することができ、特に、粉体状の化粧料の塗布に用いた際に、その塗布量を安定させ、きめ細かな塗布を可能にすることができる。
【図面の簡単な説明】
【００２０】
【図１】本発明の一実施形態の全体構成を示す側面図である。
【図２】本発明の一実施形態を示すもので、（ａ）は、噴霧器本体の正面図、（ｂ）は、粉体容器の正面図である。
【図３】本発明の一実施形態の噴霧器本体を構成する一方の半体を示すもので、（ａ）は正面図、（ｂ）は側面図である。
【図４】本発明の一実施形態の噴霧器本体を構成する他方の半体を分解した正面図である。
【図５】本発明の一実施形態の噴霧器本体を構成する他方の半体の側面図である。
【図６】本発明の一実施形態の開閉弁を示す縦断面図である。
【図７】本発明の一実施形態の噴霧器本体を構成する他方の半体に粉体容器を装着した状態を示す側面図である。
【図８】（ａ）は、本発明の粉体容器の変形例を示す斜視図、（ｂ）は、本発明の粉体容器の他の変形例を示す斜視図である。
【発明を実施するための形態】
【００２１】
以下、本発明の一実施形態について、図面を参照して説明する。
図１において、符号１は、本実施形態に係わる粉体噴霧器を示し、この粉体噴霧器１は、粉体が充填され、先端部に開口２ａが形成され、かつ、後端部に粉体吐出口２ｂが形成された粉体容器２と、この粉体容器２が装着される噴霧器本体３と、この噴霧器本体３に接続されて、その内部に圧縮気体を供給する圧縮気体容器４とからなり、前記噴霧器本体３には、前記粉体容器２の先端部が嵌着される固定部３ａと、前記粉体容器２の後端部が嵌着される支持部３ｂが設けられているとともに、前記固定部３ａには、前記圧縮気体容器４から供給される圧縮気体を、前記粉体容器２の開口２ａへ向けて導く気体供給路Ｌと、この気体供給路Ｌの途中に設けられ、この気体供給路Ｌの開閉をなす開閉弁５と、この開閉弁５の開閉をなす操作レバー６が設けられ、前記支持部３ｂには、前記粉体容器２の粉体吐出口２ｂが連通させられる噴霧口７が形成されていることを特徴とする。
【００２２】
さらに詳述すれば、前記粉体容器２は、本実施形態においては円筒状に形成され、その先端部外周には雄螺子８が形成されている。
また、後端部に形成される前記粉体吐出口２ｂは、前記粉体容器２の側面に形成されており、その内径が、前記開口２ａよりも小さく形成されている。
【００２３】
前記粉体容器２の内部には、粉体状の化粧料等の粉体Ｐが充填されており、前記粉体容器２の先端部には、図２（ｂ）に示すように、前記開口２ａを閉塞するキャップ９が、前記雄螺子８に螺合させられることによって着脱可能に装着されており、さらに、前記粉体吐出口２ｂを覆うシールＳが貼着されている。
【００２４】
前記噴霧器本体３は、前記粉体容器２の軸線を含む面において左右に２分割された一対の半体Ａ・Ｂによって構成されている（図２（ａ）参照）。
【００２５】
前記一方の半体Ａには、図３（ａ）および図３（ｂ）に示すように、前記固定部３ａを形成する位置の上部に、前記粉体容器２の先端部が位置させられる断面半円状の凹部１０が形成され、この凹部１０の下方に、前記開閉弁５が収納される断面矩形状の弁収納凹部１１が形成されている。
【００２６】
前記弁収納凹部１１は、前記開閉弁５の幅方向の約半分が収納される深さに形成されているとともに、前記一方の半体Ａの前後に開放されている。
【００２７】
また、前記一方の半体Ａの、前記他方の半体Ｂとの突き合わせ面には、これらの両半体Ａ・Ｂの位置決めに用いられる複数の位置決め用凹部１２が形成されているとともに、これらの位置決め用凹部１２には、前記一方の半体Ａを幅方向に貫通する貫通孔１３が形成されている。
【００２８】
これらの貫通孔１３には、図１に示すように、前記突き合わせ面と反対側からビス１４が挿入され、このビス１４が前記他方の半体Ｂに螺合させられることによって、両半体Ａ・Ｂが一体化されるようになっている。
【００２９】
前記他方の半体Ｂには、図４および図５に示すように、前記一方の半体Ａと同様に、前記固定部３ａを形成する位置の上部に、前記粉体容器２の先端部が位置させられる断面半円状の凹部１０が形成され、この凹部１０の下方に、前記開閉弁５が収納される断面矩形状の弁収納凹部１１が形成されている。
【００３０】
したがって、前記両半体Ａ・Ｂを突き合わせた状態において、一対の凹部１０によって断面円形の凹部が形成されるとともに、その下方に、前記一対の弁収納凹部１１によって直方体状の凹部が形成されるようになっている。
【００３１】
そして、前記円形の凹部（１０）内には、前記粉体容器２の先端部の雄螺子８が螺合させられる雌螺子部材１５が収納され、前記直方体状の弁収納凹部１１に、前記開閉弁５が収納されるようになっている。
【００３２】
前記弁収納凹部１１内に収納される前記開閉弁５は、図６に示すように、その一端部（以降、後端部と称す）に、前記圧縮気体容器４に接続された給気管１６が接続されるカプラ５ａが設けられ、このカプラ５ａに連続した内方位置に弁座Ｖが形成され、この弁座Ｖに対向して弁体１７が接離可能に配置されている。
【００３３】
また、前記開閉弁５の上部には、前記弁収納凹部１１に収納された状態において、上方に位置する前記凹部１０に対向させられる排気口Ｅが形成され、これらの前記カプラ５ａ、前記弁座Ｖ、前記開閉弁５内、前記排気口Ｅによって、前記気体供給路Ｌが形成されている。
【００３４】
前記弁体１７は、前記カプラ５ａとの間に介装された圧縮スプリング１８によって，前記弁座Ｖに向けて付勢されており、この弁座Ｖに圧雪させられた状態において、前記気体供給路Ｌを閉じるようになっている。
【００３５】
また、前記開閉弁５の他端部（以降、前端部と称す）には、図５に示すように、前記弁体１７に連設された開閉ロッド１９が摺動自在に装着され、この開閉ロッド１９の前端部が、前記開閉弁５の前端から突出させられるとともに、前記開閉弁５が、前記弁収納凹部１１内に収納された状態において、前記噴霧器本体３の前端面から所定長さ突出させられるようになっている。
【００３６】
さらに、前記他方の単体Ｂの下部前方には、図４および図５に示すように、円柱状の支持突起２０が、前記突き合わせ面と直交する方向に沿って一体に突設されており、この支持突起２０に前記操作レバー６が、その下端部において揺動可能に支持されている。
【００３７】
前記操作レバー６は、前記支持突起２０によって前記噴霧器本体３の前方に保持されて、この噴霧器本体３の前方に突出する前記開閉弁５の開閉ロッド１９の先端に当接させられるようになされ、また、前記噴霧器本体３との間に介装されたリターンスプリング２１の付勢力により、前記噴霧器本体３から離間する方向に揺動させられるように付勢されている。
【００３８】
また、前記操作レバー６の揺動中心部には、前記噴霧器本体３との係合により、前記操作レバー６の、前記噴霧器本体３から離間する方向への揺動角度を規制する係止段部６ａが形成されている。
【００３９】
一方、前記他方の半体Ｂの突き合わせ面には、前記一方の半体Ａに突き合わせた状態において、前記一方の半体Ａの突き合わせ面に形成された複数の前記位置決め用凹部１２に嵌合させられる複数の位置決め用突起２２が突設されており、これらの位置決め用突起２２に、前記各位置決め用凹部１２に挿通された前記ビス１４がねじ込まれることにより、前記両半体Ａ・Ｂが相互に位置合わせされた状態で相互に連結されるようになっている。
【００４０】
そして、本実施桁板においては，前記操作レバー６を支持する前記支持突起２０も、前記操作レバー６の側面から突出させられて、前記位置決め用凹部１２の一つに嵌合させられるとともに、この位置決め用凹部１２を貫通させられた前記ビス１４がねじ込まれるようになっている。
【００４１】
前記他方の半体Ｂの支持部３ｂを構成する部分には、その突き合わせ面から突出するノズルヘッド２３が設けられており、このノズルヘッド２３からさらに突出するように、係止片２４が設けられている。
【００４２】
これらのノズルヘッド２３および係止片２４は、図３（ａ）（ｂ）に示すように、前記一方の半体Ａの支持部３ｂの突き合わせ面に形成されたヘッド収納凹部２５と、このヘッド収納凹部２５に連続して形成され、前記係止片２４の突出長さと略同等の深さを有する係止孔２６にそれぞれ嵌合させられるようになっている。
【００４３】
一方、前記ノズルヘッド２３には、前記支持部３ｂの内外面を連通させるように前記噴霧口７が、前記噴霧器本体３の前後方向に沿って形成されている。
【００４４】
本発明の粉体噴霧器１では、使用にあたって、前記粉体容器２の先端部から前記キャップ９を取り外すとともに、前記シールＳを剥離して前記粉体吐出口２ｂを開放する。
【００４５】
ついで、前記噴霧器本体３を、その支持部３ｂを下方にして，前記粉体容器２にその先端部側から被せ、この粉体容器２の先端部が、前記噴霧器本体３の固定部３ａに至った時点で、前記先端部に形成された雄螺子８を、前記噴霧器本体３の雌螺子部材１５に螺合させることにより、前記粉体容器２を前記噴霧器本体３に装着する。
【００４６】
そして、前記粉体容器２のその軸線回りの位置決めを、前記噴霧器本体３に対して行なうことにより、前記粉体容器２の後部に設けられている前記粉体吐出口２ｂを、前記噴霧個本体３の支持部３ｂに形成されている噴霧口７に対峙させる。
【００４７】
これより、前記噴霧器本体３を前記粉体容器２とともに上下を反転させるとともに、前記噴霧器本体３に装着されている前記開閉弁５のカプラ５ａに、前記加圧気体容器４に接続されている前記給気管１６の他端部を接続する。
【００４８】
このように、前記粉体容器２および噴霧器本体３を反転させた状態において、前記粉体容器２内の粉体Ｐが下方の開口２ａへ向けて沈降し、その粉体吐出口２ｂ近傍に空間部が形成される。
【００４９】
この状態において、使用者は、前記噴霧器本体３の固定部３ａ回りを握ることによって保持し、前記操作レバー６を操作することにより、前記粉体容器２内の粉体Ｐを、その粉体吐出口２ｂから前記噴霧器本体３の噴霧口７を経て噴霧することができる。
【００５０】
すなわち、前記操作レバー６を前記噴霧器本体３側へ向けて揺動させると、前記操作レバー６によってその裏面に当接させられている前記開閉ロッド１９が押し込まれ、これによって、前記開閉弁５の弁体１７が弁座Ｖから離間させられて、前記圧縮気体容器４内の圧縮気体が、前記開閉弁５から前記粉体容器２の先端の開口２ａを経てこの粉体容器２内に供給される。
【００５１】
前記粉体容器２内に供給された圧縮気体は、この粉体容器２の下方に沈降している粉体Ｐを上方へ吹き上げるとともに、その粉体Ｐの一部とともに前記粉体容器２に形成されている前記粉体吐出口２ｂから吐出され、これによって、前記粉体Ｐの噴霧が行なわれる。
【００５２】
ここで、前記粉体吐出口２ｂの開口面積が一定であることから、前述した噴霧量が一定に保持され、残余の粉体Ｐが、前記粉体容器２内で循環させられる。
したがって、前記粉体Ｐが一定量ずつ噴霧されることとなり、安定した塗布量が確保される。
【００５３】
このような粉体Ｐの噴霧操作に際して、前記開閉弁５は、常時、前記粉体Ｐよりも上流側に位置させられて、前記粉体容器２内に供給される圧縮気体の供給およびその停止を行なうのみである。
【００５４】
また、噴霧を停止した場合、前記粉体容器２内の粉体は、前記開閉弁５の下流側（すなわち、圧縮気体の排気口Ｅ側）へ向かって移動するが、この粉体Ｐが、前記開閉弁５の作動部、すなわち、弁座Ｖおよび弁体１７の部分に入り込むことがない。
【００５５】
仮に、前記開閉弁５の作動部に前記粉体が入り込んだとしても、前述した噴霧作業の停止時に、前記弁体１７を閉位置に戻すまで、この弁体１７と前記弁座Ｖとの対向面間には、常時、圧縮気体が送り込まれていることにより、これらの弁体１７と弁座Ｖとの間に入り込んだ粉体Ｐが押し戻されて、前記弁体１７と弁座Ｖとの間に滞留することはない。
【００５６】
したがって、粉体の噴霧とその停止の繰り返し操作に際して、前記開閉弁５の作動部に粉体が滞留して圧密されることによる、前記作動部の詰まりを防止することができる。
この結果、前述した粉体の噴霧を円滑にかつ安定して行なうことができる。
【００５７】
なお、前記実施形態において示した各構成部材の諸形状や寸法等は一例であって、設計要求等に基づき種々変更可能である。
たとえば、前記実施形態においては、前記圧縮気体容器４を、前記給気管１６を介して前記開閉弁５に接続するようにした例について示したが、これに代えて、前記圧縮気体容器４を直接前記開閉弁５に接続するようにしてもよい。
【００５８】
また、前記粉体容器２の先端部と前記噴霧器本体３との固定を、図８（ｂ）に示すように、前記粉体容器２の先端部と前記噴霧器本体３の固定部３ａの何れか一方に突起２７を形成するとともに、他方に凹部（図示略）を形成しておき、これらの突起と凹部との嵌合によって行なうようにしてもよい。
【００５９】
前記実施形態においては、前記粉体容器２の外形形状や、前記噴霧器本体３の固定部２ａおよび支持部２ｂの内径形状を真円状とした例について示したが、これに代えて、前記粉体容器２の外形形状を非真円形状（たとえば、図８（ｂ）に示すような四角形状等）としたり、多角形状、楕円形状、一部に直線部を有する円弧形状等とすることができる。
【００６０】
このような非真円形状とすることにより、前記粉体容器２の軸線回りにおける、この粉体容器２の噴霧器本体３に対する固定位置を一義的なものとし、これらに形成されている粉体吐出口２ｂと噴霧口７との位置合わせを容易にすることができる。
ただし、この場合には、前記粉体容器２と前記噴霧器本体３との固定を、図８（ｂ）に示すような凹凸嵌合によって行なうことが必要となる。
【００６１】
また、図８（ａ）に示すように、前記粉体容器２の後端面に、前記粉体吐出口２ｂの位置を示す表示Ｄを設けておき、この表示Ｄを前記噴霧口７に合わせるようにして前記粉体容器２を装着することにより、前述した粉体吐出口２ｂと前記噴霧口７との位置合わせをさらに容易なものとすることができる。
【符号の説明】
【００６２】
１  粉体噴霧器
２  粉体容器
２ａ  開口
２ｂ  粉体吐出口
３  噴霧器本体
３ａ  固定部
３ｂ  支持部
４  圧縮気体容器
５  開閉弁
５ａ  カプラ
６  操作レバー
６ａ  係止段部
７  噴霧口
８  雄螺子
９  キャップ
１０  凹部
１１  弁収納凹部
１２  位置決め用凹部
１３  貫通孔
１４  ビス
１５  雌螺子部材
１６  給気管
１７  弁体
１８  圧縮スプリング
１９  開閉ロッド
２０  支持突起
２１  リターンスプリング
２２  位置決め用突起
２３  ノズルヘッド
２４  係止片
２５  ヘッド収納部
２６  係止孔
２７  突起
Ａ  一方の半体
Ｂ  他方の半体
Ｄ  表示
Ｅ  排気口
Ｌ  気体供給路
Ｐ  粉体
Ｓ  シール
Ｖ  弁座
【図１】
0006474062.tif 000002
【図２】
0006474062.tif 000003
【図３】
0006474062.tif 000004
【図４】
0006474062.tif 000005
【図５】
0006474062.tif 000006
【図６】
0006474062.tif 000007
【図７】
0006474062.tif 000008
【図８】
0006474062.tif 000009